(57)【特許請求の範囲】
【請求項１】
上面開放型の受皿部（１）と受皿底部（２）に開口した排水管口（３）とを一体に有してなるドレン本体（１０）を、円筒スぺーサー（４）を介してコンクリート型枠（２０）上に設置して、このドレン本体をコンクリート型枠（２０）に固設された固定金具（５）と排水管口（３）上の押え板（６）との間においてボルト・ナット（１１．１２）で締め付けた状態でコンクリート型枠（２０）内に生コンクリートを打設するようにしたルーフドレンにおいて、前記押え板（６）の面と底部の固定金具（５）の面の夫々に互いに相対向するようにスリット溝からなる係止孔（７．８）を設けて、この両係止孔（７．８）に１本の回り止めバー（９）を上方より嵌挿し、回り止めバー（９）下端部と係止孔（７．８）側の一方又は両方に、係止孔に対する係合時のリード及び案内となるように、リード部（Ｒ）及び案内部（Ｇ）を設け、且つ回り止めバー（９）側のリード部（Ｒ）は、バー下端部を下向き山形傾斜に形成されてなり、対応する係止孔（７．８）側の案内部（Ｇ）は、スリット溝巾より大きい大径孔とされてなることを特徴とするルーフドレン施工時の回り止め装置。
【請求項２】
前記回り止めバー（９）は、下端部がコンクリート型枠（２０）に突き立つように支持されてなり、且つバー上端部に前記支持が外れた場合に落下を阻止するように押え板（６）の面の係止孔内縁（７ａ）に係合する係合突起（９ａ）を設てなけることを特徴とする請求項１記載のルーフドレン施工時の回り止め装置。
【発明の詳細な説明】
【０００１】
【発明の属する技術分野】
本発明は、建物の屋上やベランダ等のスラブコンクリートに、ルーフドレンを組込んで施工する際に、ルーフドレンをコンクリートの打設前にコンクリート型枠に組付け固定するための固定装置、さらに詳しくは、ルーフドレン施工時の回り止め装置に関する。
【０００２】
【従来の技術】
建物の屋上やベランダ等のスラグコンクリートには、予じめルーフドレンが組込まれる。従来このようなルーフドレンを組込んで施工する際には、ルーフドレーン本体をコンクリート型枠に組付けて固定するが、その固定方法は、コンクリート型枠に固定した固定金具とドレン本体の受皿底部に設置した押え板に１本のボルトを通して上からナットで締付けて固定するものであった。
【０００３】
【発明が解決しようとする課題】
ルーフドレンの回り止め装置は、ボルトとナットで固定されたドレン本体に、ボルトと平行に回り止めバーを押え板と固定金具に打ち込んで回転方向への動きを阻止するものであるが、回り止めバーは押え板と固定金具の両面に相対向する２つの係止孔に手作業で嵌挿させるためワンタッチで迅速に作業することが困難であった。また、コンクリート打設後にコンクリート型枠を取外して解体する際に、回り止めバーが支持を失って落下するおそれがあり、その為危険性の問題点も有していた。
【０００４】
本発明は、このような従来の問題点に鑑みてなされたものであり、その目的とするところは、ドレン本体をコンクリート型枠に取付けて固定する際には、ボルト・ナットによる締付けと同時に回り止めバーをリード部及びガイド部に案内させることによりワンタッチで簡単迅速に作業を行い、而もコンクリート型枠の解体時等に回り止めバーを誤って落下させるおそれがないようにして安全性を高めることを可能にしたルーフドレン施工時の回り止め装置を提供しようとするものである。
【０００５】
【課題を解決するための手段】
上記目的を達成するために、本発明におけるルーフドレン施工時の回り止め装置は、上面開放型の受皿部１と受皿底部２に開口した排水管口３とを一体に有してなるドレン本体１０を、円筒スぺーサー４を介してコンクリート型枠２０上に設置して、このドレン本体をコンクリート型枠２０に固設された固定金具５と排水管口３上の押え板６との間においてボルト・ナット１１．１２で締め付けた状態でコンクリート型枠２０内に生コンクリートを打設するようにしたルーフドレンにおいて、前記押え板６の面と底部の固定金具５の面の夫々に互いに相対向するようにスリット溝からなる係止孔７．８を設けて、この両係止孔７．８に１本の回り止めバー９を上方より嵌挿し、回り止めバー９下端部と係止孔７．８側の一方又は両方に、係止孔に対する係合時のリード及び案内となるように、リード部Ｒ及び案内部Ｇを設け、且つ回り止めバー９側のリード部Ｒは、バー下端部を下向き山形傾斜に形成されてなり、対応する係止孔７．８側の案内部Ｇは、スリット溝巾より大きい大径孔とされてなるものである。
【０００６】
そして、前記回り止めバー９は、下端部がコンクリート型枠２０に突き立つように支持されてなり、且つバー上端部に前記支持が外れた場合に落下を阻止するように押え板６の面の係止孔内縁７ａに係合する係合突起９ａを設けてなるものである。
【０００７】
【実施例】
以下、本発明の一実施例を、添附図面に従って説明する。図１〜図２は、コンクリート打設後のルーフドレン組立完成時の状態を示しており、図３〜図４はコンクリート型枠にルーフドレンを取付け、固定した状態を示している。図１〜図４において、１０はドレン本体で、このドレン本体は上面開放型の角形の受皿部１と受皿底部２に下向きに開口した排水管口３を一体に有している。排水管口３は建築施工時に排水管３１が接続できるように内面にテーパネジ３２（図１の場合）が設けられている。図２は外嵌合接続で排水管３１を接続する場合である。
【０００８】
図３〜４において、２０はコンクリート型枠であって、この型枠の底部に円板形の固定金具５が一体に取付けられ、上面に１本のボルト１１が固定ナット１３にて不動状に固定されている。４は円筒スぺーサで、固定金具５の外周に嵌合しその上端口にドレン本体１０の排水管口３を嵌合することによりドレン本体１０を型枠２０の面上に所定の高さに保持されるようにする。排水管口３の上部の開口部に押え板６が嵌置される。この押え板６は四角状の金属板からなるものを、受皿底部２に対して回動しないように、四隅に配置された突起１４で保持されるようにする。押え板６の面にボルト１１の嵌挿孔１５と、回り止めバー９の嵌挿用の係止孔７が設けられる。固定金具５の上面にも回り止めバー９の嵌挿用係止孔８が設けられる。２つの係止孔７．８は図５〜６に示すように鈎形スリット溝からなり、スリット溝の中央部にスリット溝巾より大きい円形状の大径孔を形成し、この大径孔を回り止めバー９の案内部Ｇとなす。案内部Ｇは角形状の大径部とすることもできる。
【０００９】
回り止めバー９は、金属板片を折り曲げて横断面コ字形に形成するとともに、下端部を下向き山形傾斜に形成してこの山形傾斜部を係止孔７．８への嵌入時のリード部Ｒとなす。また、この回り止めバー９にはその上部に係合突起９ａを設けて、回り止めバー９を係止孔７．８に嵌挿した場合に下方へ通り抜けできないようにしている。図７は係合突起９ａを板面の打ち出しにより形成した場合であり、図８はバー９の上部に切欠け９ｂを設けて、これにワイヤー又は輪ゴム９ｃを巻き付けてこれを係合突起９ａとしている。
【００１０】
【作用】
図３〜４に示すように、コンクリート型枠２０の面上の固定金具５に円筒スぺーサ４を嵌めその上にドレン本体１０の排水管口３を嵌合し、固定金具５に突設固定したボルト１１に押え板６を嵌挿し、ナット１２を螺動して締付けると、ドレン本体１０はコンクリート型枠２０に一体に取付けられる。しかしこの状態では、回転方向に対して緩みを生じると、遊回動のおそれがあるので、押え板６の上からその面の係止孔７と下方に対向する固定金具５の面の係止孔８に回り止めバー９を嵌挿させるとドレン本体１０は、コンクリート型枠２０に対して上下及び回転方向の何れに対しても完全に固定されたものとなる。
【００１１】
回り止めバー９を押え板６の面の係止孔７に嵌挿させる時には、下端部の山形傾斜のリード部Ｒを係止孔７のスリット溝に当てがって押し込むようにするとスリット溝中央の大径孔が案内部Ｇとなって自然に誘導されるようにワンタッチで一気に嵌挿され、且つ下方の固定金具の係止孔８に対しても同様にリード部と案内部によって多少位置が狂っても正しく誘導して一気に嵌挿できるものである。
【００１２】
ドレン本体１０の受皿部１には、その後に発泡スチロール等の材料からなる養生板（カバー）１６を上面開放部に嵌合密着して内部を閉塞する。
【００１３】
コンクリート型枠２０内には、上記のようにしてルーフドレンが組立てられると、ドレン本体１０の外周側部の空間に生コンクリートを流し込む。生コンクリートが固化すると、所要時間後にコンクリート型枠２０が外される。同時にドレン本体１０の受皿部１の養生板１６を取外して内部を開け、ナット１２を緩めて押え板６、ボルト１１を取り去り、さらに回り止めバー９を引抜けば一連の施工工事が終了する。尚、図１〜４において、１７はアンカーボルト、１８は帽状キャップ形のストレーナ、１９はストレーナの取付け用ねじである。
【００１４】
【発明の効果】
本発明は、前記のように押え板の面と底部の固定金具の面の夫々に互いに相対向するようにスリット溝からなる係止孔を設けて、この両係止孔に１本の回り止めバーを上方より嵌挿し、回り止めバー下端部と係止孔側の一方又は両方に、係止孔に対する係合時のリード及び案内となるように、リード部及び案内部を設け、且つ回り止めバー側のリード部は、バー下端部を下向き山形傾斜に形成されてなり、対応する係止孔側の案内部は、スリット溝巾より大きい大径孔とされているので、回り止めバーによりドレン本体がコンクリート型枠に対して回転方向にも完全に一体化されるとともに、回り止めバーを押え板と固定金具の相対向する２つの係止孔に嵌挿させる際にはリード部及び案内部によって円滑且つ確実に先の尖ったバー先端部から滑り込むように嵌挿し、多数のものをワンタッチで能率よく作業できるものである。而も回り止めバーの上端部には抜止め用の係合突起が設けられているため、コンクリート型枠を外した場合等に係止孔にひっ掛って下方へ落下しない為不測の事故を回避し、安全性が高められる。
【図面の簡単な説明】
【図１】ルーフドレンをスラブコンクリートに組込んだ状態の縦断側面図。
【図２】同上の他の実施例の縦断側面図。
【図３】ドレン本体をコンクリート型枠に取付けた状態の縦断側面図。
【図４】同上の平面図。
【図５】押え板の平面図と同図Ａ−Ａ線の断面図。
【図６】固定金具の平面図と同Ｂ−Ｂ線の断面図。
【図７】回り止めバーの正面図と側面図、及びＣ−Ｃ線の断面図。
【図８】回り止めバーの他の実施例の正面図と、側面図である。
【符号の説明】
１      受皿部
２      底部
３      排水管口
４      円筒スぺーサ
５      固定金具
６      押え板
７．８  係止孔
９      回り止めバー
１０    ドレン本体
１１    ボルト
１２    ナット
２０    コンクリート型枠
Ｒ      リード部
Ｇ      案内部
【図１】
0004090159.tif 000002
【図２】
0004090159.tif 000003
【図３】
0004090159.tif 000004
【図４】
0004090159.tif 000005
【図５】
0004090159.tif 000006
【図６】
0004090159.tif 000007
【図７】
0004090159.tif 000008
【図８】
0004090159.tif 000009